(57)【要約】      （修正有）【課題】自動回転ポットを備えるガスオーブン型調理器を提供すること。【解決手段】ガスレンジ炎孔の火力を受ける炎孔穴１１２を備えているベースフレーム１１０の後側でコントローラ２００を連結するように構成されたコントローラ支持フレーム１２２と、コントローラ２００の重量とのバランスをとるようにベースフレーム１１０上に設けられた重量均衡手段１３０とを有しているベース支持体１００であって、コントローラ２００が、コントローラ支持フレーム１２２に連結されているとともに、埋込み式の減速モータと、端部分が上側へ傾斜されるようにコントローラ支持板の前面を貫通する伝動シャフト２１０とを有しているベース支持体１００と、炎孔穴１１２を介して調理用の火力を受けるために回転する傾斜した伝動シャフト２１０と外側部分で軸方向に連結された伝動手段を有するように構成されたオーブン３００とを有する。【選択図】図１
2019181164.tif 000002
【特許請求の範囲】
【請求項１】
自動回転ポットを備えるガスオーブン型調理器であって、
ガスレンジ炎孔の火力を受ける炎孔穴を備えているベースフレームの後側でコントローラを連結するコントローラ支持フレームと、前記コントローラの重量とのバランスをとるように前記ベースフレーム上に設けられた重量均衡手段と、を有するように構成されたベース支持体であって、前記コントローラが前記コントローラ支持フレームへ連結されているとともに、埋込み式の減速モータと、端部分が水平より上になるように露出して傾斜された伝動シャフトとを有しているベース支持体と、
前記炎孔穴を介して調理用の火力を受けるために回転する前記傾斜した伝動シャフトと外側部分で軸方向に連結された伝動手段を有するように構成されるオーブンと、を備え、
前記オーブンは、オーブンの側壁に近い底に形成される排油穴と、
油を排出するために前記排油穴上に設けられているとともに外側の端の外径が前記オーブンの前記底の外径より大きくなるように曲げられた排油バルブと、を更に備え、
前記ベース支持体の前記ベースフレーム上には、前記オーブンの前記底の直径より大きい直径を有する油落し穴が形成されている
ガスオーブン型調理器。
【請求項２】
前記排油バルブの前記外端に、開閉可能なバルブキャップが設けられている
請求項１に記載のガスオーブン型調理器。
【請求項３】
前記重量均衡手段には、揺れを防止するように前記オーブンの開口側の前記ベースフレーム上で互いに離隔して配置された少なくとも２つの錘と、
前記オーブンの外壁上の２点を同時に支持するように各錘上にフロントローラとが備えられている
請求項１に記載のガスオーブン型調理器。
【請求項４】
前記コントローラ支持フレームに連結される前記コントローラの下端は、取付け板を形成し、前記取付け板の前記前面は、前記コントローラを後方に傾ける傾斜面を形成している
請求項１に記載のガスオーブン型調理器。
【請求項５】
前記傾斜面とは反対側の前記コントローラ支持フレーム上の固定用穴を介して前記取付け板を固定するための固定ねじが設けられている
請求項４に記載のガスオーブン型調理器。
【請求項６】
油を簡単に排出するための自動回転ポットを備えるガスオーブン型調理器であって、
ガスレンジ炎孔の火力を受ける炎孔穴を有しているベースフレームの後側にコントローラを連結するコントローラ支持フレームと、前記コントローラの重量とのバランスをとるように前記ベースフレーム上に設けられた重量均衡手段とを有するように構成されたベース支持体であって、前記コントローラが、前記コントローラ支持フレームへ連結されているとともに、埋込み式の減速モータと、端部分が水平より上になるように露出された伝動シャフトとを有するように構成されているベース支持体と、
前記炎孔穴を介して調理用の火力を受けるために回転する前記傾斜した伝動シャフトと外側部分で軸方向に連結された伝動手段を有するように構成されたオーブンと、を備え、
前記オーブンは、前記オーブンの側壁に近い底に形成される排油穴と、
油を排出するために、水平部分と垂直部分とを有し、前記水平部分の遠位端が前記排油穴上に設けられるように構成されているとともに、逆Ｌ字形状に曲がった形を有している排油バルブと、
前記オーブンの回転に伴って回転する前記排油バルブの前記垂直部分の遠位端から流れ出る油を一時的に溜めるように前記排油バルブの前記垂直部分に形成された油受けと、を更に備え、
前記ベース支持体の前記ベースフレーム上には、前記オーブンの前記底の直径より大きい直径を有している油落し穴が形成されている
ガスオーブン型調理器。
【請求項７】
前記油受けは、底面が開放された受け溝を有するように構成され、前記底面は、下死点にあるときに前記排油バルブの前記垂直部分の前記遠位端より高い位置に位置している
請求項６に記載のガスオーブン型調理器。
【請求項８】
前記油受けは、前記排油バルブが前記オーブンとともに下死点から上死点へと回転して上昇すると、前記垂直部分の下部において回転方向とは反対方向に位置している
請求項６に記載のガスオーブン型調理器。
【発明の詳細な説明】
【技術分野】
【０００１】
本開示は、油を簡単に排出するための自動回転ポットを備えているガスオーブン型調理器に関する。本出願は、２０１８年４月１７日に提出された韓国特許出願第１０−２０１８−００４４６５５号明細書及び２０１８年７月４日に提出された同第１０−２０１８−００７７７０９号明細書に対する優先権及び利益を主張するものであり、前記出願の開示内容は、参照によりその全体が開示に含まれる。
【背景技術】
【０００２】
概して、直火を用いるロースタとは、ガスまたはオイルを用いる焼き器から熱源を直に受ける調理器を意味している。韓国特許第１０−１２９７２０３号公報や韓国実用新案第２０−０４５９２４１号公報等に開示されているように、直火を用いるロースタは、熱導入孔を介して加熱源を受ける本体部分と、本体部分上に置かれる焼き板と、焼き板及び本体部分を覆う蓋とを有するように構成されている。
【先行技術文献】
【特許文献】
【０００３】
【特許文献１】韓国特許第１０−１２９７２０３号公報
【特許文献２】韓国実用新案第２０−０４５９２４１号公報
【発明の概要】
【発明が解決しようとする課題】
【０００４】
しかしながら、この方法では、直火を用いるロースタが、炎孔の炎を熱導入孔から進入させることによって使用され、よって熱導入孔から導入される炎は、本体部分における酸素不足によって燃焼せず、煤等が発生する、という問題点がある。
【０００５】
このような酸素不足を解決しようとして、韓国特許第１０−０３３０６２２号が開発されている。しかしながら、熱源が排気孔から排出されることから、これには、熱効率が低いという問題があった。
【０００６】
一方で、外部熱により加熱されながら回転する斜めドラム型加熱パンを用いることによる調理法が開発され、韓国特許第１０−１３４３６８５号公報に開示されている。しかしながら、調理用ドラム、調理用ドラムを支持する外筒容器及び外筒容器へ取り付けられた熱源となる電気ヒータを有するように構成されることにより、電力消費量が多く、内側容器、外側容器及びこれらの間に置かれたヒータを有することでコストが高くなり、また、調理時間が長くなるという問題もある。
【課題を解決するための手段】
【０００７】
本開示は、ガス火を用いるとともに油を簡単に排出するための自動回転ポットを備えているガスオーブン型調理器であって、炎孔とベースフレームのコントローラ支持フレームとの間に隔壁が設けられ、オーブンの側壁に近い底に排油穴が設けられ、排油穴には、曲がっていて端の直径が底の直径より大きい排油バルブが設けられ、ベースフレーム上には、落下する油をオーブンまたはベースフレームを汚すことなく油捕集器を介して集めることができるように、排油バルブの回転直径より大きい直径を有している油落し穴が形成されたガスオーブン型調理器を提供することに関する。
【０００８】
また、本開示は、ガス火を用いるとともに油を簡単に排出するための自動回転ポットを備えているガスオーブン型調理器であって、前側壁が２つのフロントローラで支持されているとともに、回転負荷を低減するとともに機能を安定させるために、後方の底が伝動手段及び伝動シャフトへ直に連接されたガスオーブン型調理器を提供することにも関する。
【０００９】
また、本開示は、ガス火を用いるとともに油を簡単に排出するための自動回転ポットを備えているガスオーブン型調理器であって、炎孔とベースフレームのコントローラ支持フレームとの間に壁が設けられ、オーブンの側壁に近い底に排油穴が設けられ、排油穴には、曲がっていて端の直径が底の直径より大きい排油バルブが設けられ、ベースフレーム上には、落下する油をオーブンまたはベースフレームを汚すことなく油捕集器を介して集めることができるように、排油バルブの回転直径より大きい直径を有する油落し穴が形成され、排油バルブには、排油バルブの回転に伴って流れ出る油を一時的に溜めてこれを油捕集器上に集めるための油受けが更に設けられているガスオーブン型調理器を提供することにも関する。
【００１０】
本開示の第１の態様によれば、自動回転ポットを備えているガスオーブン型調理器は、ガスレンジ炎孔の火力を受ける炎孔穴を備えているベースフレームの後側でコントローラを連結するコントローラ支持フレームと、コントローラの重量とのバランスをとるようにベースフレーム上に設けられた重量均衡手段と、を有するように構成されたベース支持体であって、前記コントローラが、コントローラ支持フレームへ連結されているとともに、埋込み式の減速モータと、端部分が水平より上になるように露出して傾斜される伝動シャフトとを有するように構成されているベース支持体と、炎孔穴を介して調理用の火力を受けるために回転する前記傾斜した伝動シャフトと外側部分で軸方向に連結された伝動手段を有するように構成されたオーブンと、を含み、前記オーブンは、オーブンの側壁に近い底に形成された排油穴と、油を排出するために排油穴上に設けられているとともに、外側の端の外径がオーブンの底の外径より大きくなるように曲げられた排油バルブと、を更に含み、前記ベース支持体のベースフレーム上には、オーブンの底の直径より大きい直径を有する油落し穴が形成されている。
【００１１】
本開示の第２の態様によれば、排油バルブの外端に、開閉可能なバルブキャップが設けられている。
【００１２】
本開示の第３の態様によれば、重量均衡手段には、揺れを防止するための少なくとも２つの錘と、オーブン外壁上の２点を同時に支持するように、オーブン開口側のベースフレーム上で互いに離隔した位置で、各錘上に配置されたフロントローラとが備えられている。
【００１３】
本発明の第４の態様によれば、コントローラ支持フレームに連結されたコントローラの下端は、取付け板を形成し、取付け板の前面は、コントローラを後方に傾ける傾斜面を形成している。
【００１４】
本開示の第５の態様によれば、傾斜面とは反対側のコントローラ支持フレーム上の固定用穴を介して取付け板を固定するための固定ねじが設けられている。
【００１５】
本開示の第６の態様によれば、ベース支持体は、ガスレンジ炎孔の火力を受ける炎孔穴を備えているベースフレームの後側でコントローラを連結するコントローラ支持フレームと、コントローラの重量とのバランスをとるようにベースフレーム上に設けられた重量均衡手段とを有するように構成され、前記コントローラが、コントローラ支持フレームへ連結されているとともに、埋込み式の減速モータと、端部分が水平より上になるように露出して傾斜される伝動シャフトとを有するように構成され、オーブンは、炎孔穴を介して調理用の火力を受けるために回転する前記傾斜した伝動シャフトと外側部分で軸方向に連結された伝動手段を有するように構成され、前記オーブンは、オーブンの側壁に近い底に形成される排油穴と、油を排出するために、水平部分と垂直部分とを有していて水平部分の遠位端が排油穴上に設けられるように構成された逆Ｌ字形状に曲がった形を有する排油バルブと、排油バルブの垂直部分に形成されているとともに、オーブンの回転に伴って回転する排油バルブの垂直部分の遠位端から流れ出る油を一時的に溜めるための油受けと、を更に備え、前記ベース支持体のベースフレーム上には、オーブンの底の直径より大きい直径を有する油落し穴が形成されている。
【００１６】
本開示の第７の態様によれば、前記油受けは、底面が開放された受け溝を有するように構成され、底面は、下死点にあるときに排油バルブの垂直部分の遠位端より高い位置に位置している。
【００１７】
本開示の第８の態様によれば、油受けは、オーブンとともに下死点から上死点へと旋回して上昇すると、垂直部分の下部で回転方向とは逆方向に位置する排油バルブを有するように構成されている。
【発明の効果】
【００１８】
先に述べたように、本開示では、炎孔とベースフレームのコントローラ支持フレームとの間に隔壁が設けられ、オーブンの側壁近くの底に排油穴が設けられ、排油穴には、曲がっていて端の直径が底の直径より大きい排油バルブが設けられ、ベースフレーム上には、排油バルブの回転直径より大きい直径を有している油落し穴が形成されているので、落下した油をオーブンまたはベースフレームを汚すことなく油捕集器を介して集めることが可能である。
【００１９】
本開示では、前側壁が２つのフロントローラで支持され、後側の底が伝動手段及び伝動シャフトへ直に連接されているので、回転負荷を低減するとともに機能を安定させることが可能である。
【００２０】
本開示では、炎孔とベースフレームのコントローラ支持フレームとの間に壁が設けられ、オーブンの側壁近くの底に排油穴が設けられ、排油穴には、曲がっていて端の直径が底の直径より大きい排油バルブが設けられ、ベースフレーム上には、排油バルブの回転直径より大きい直径を有する油落し穴が形成されているので、落下する油をオーブンまたはベースフレームを汚すことなく油捕集器を介して集めることが可能である。
【００２１】
排油バルブには、油受けが設けられているので、排油バルブが下死点から上死点へ回転するにつれて流れ出る油を一時的に溜め、これを上死点から下死点への回転時に油捕集器で集めることが可能である。
【図面の簡単な説明】
【００２２】
【図１】本開示の分解斜視図である。
【図２】本開示の係合された使用状態を示す斜視図である。
【図３】本開示のベース支持体を示す斜視図である。
【図４】図３の底面斜視図である。
【図５】本開示の係合された後側の使用状態を示す斜視図である。
【図６】本開示のオーブンを示す斜視図である。
【図７】本開示の排油バルブ部分の要部拡大断面図である。
【図８】本開示の使用状態を示す断面図である。
【図９】本開示の別の実施形態の排油バルブの要部拡大断面図である。
【図１０】本開示の別の実施形態の排油バルブを示す底面斜視図である。
【図１１】本開示の別の実施形態における排油バルブ及び油受けの回転状態を示す図である。
【図１２】本開示の別の実施形態の使用状態を示す断面図である。
【発明を実施するための形態】
【００２３】
以下、添付の図面を参照して、本開示の実施形態を詳細に説明する。
【００２４】
本開示の一態様は、ガスレンジ炎孔の火力を受ける炎孔穴１１２を備えているベースフレーム１１０の後側でコントローラ２００を連結するように構成されたコントローラ支持フレーム１２２と、コントローラ２００の重量とのバランスをとるようにベースフレーム１１０上に設けられた重量均衡手段１３０とを有しているベース支持体１００であって、コントローラ２００が、コントローラ支持フレーム１２２に連結されているとともに、埋込み式の減速モータと、端部分が上側へ傾斜されるように露出されるようにコントローラ支持板１２０の前面を貫通する伝動シャフト２１０とを有しているベース支持体１００と、炎孔穴１１２を介して調理用の火力を受けるために回転する前記傾斜した伝動シャフト２１０と外側部分で軸方向に連結された伝動手段３１０を有するように構成されたオーブン３００とを有するように構成される。
【００２５】
図１及び図３に示されるように、ベース支持体１００上には、オーブン３００を回転させて伝動手段３１０との連結を案内するための回転案内手段１４０が設けられている。
【００２６】
回転案内手段１４０は、少なくとも１組のフロントローラ１４７を含むように構成されている。これらのフロントローラ１４７は、オーブン３００の前側外面と接触するように互いに離隔されることによって、オーブン３００をベース支持体１００の底正面から支持しているとともに、オーブン３００の回転を案内している。各ローラ及びオーブン３００の外面は、点接触状態にあって、伝動手段との初期連結を案内する機能を果たす。
【００２７】
コントローラ支持フレーム１２２の一方の側壁には、固定用穴１２９が形成され、固定用穴１２９を貫通する固定ねじ１２９’を用いて、コントローラ２００の取付け板２４０が固定される。
【００２８】
ベース支持体１００のベースフレーム１１０の底の底面には、図４に示すように、複数の突起１１４が分散して形成されていてもよく、これらは、ガスレンジの調理器支持体上に支持されると同時に、ずれを防止するストッパ機能を果たすために突き出ている。
【００２９】
ベース支持体１００のベースフレーム１１０の側壁の高さは、図８に示されるように、前側が後側より高くなるように設定され、傾斜した伝動シャフト２１０に軸方向に連結されたオーブン３００の傾斜角が、コントローラ２００の傾斜角に一致するように設定されている。
【００３０】
図１及び図３に示されるように、ベースフレーム１１０の炎孔穴１１２とコントローラ支持板１２０との間には、炎孔穴からの熱を遮断する隔壁１１６が設けられている。排油穴３０２は、オーブン３００の底に近い側壁に形成されている。排油穴３０２を介して排出された油を集める油捕集器１５０は、隔壁１１６の後方でベースフレーム１１０上に設けられた底支持体１１７により支持されるように構成されている。
【００３１】
排油穴３０２には、オーブン３００の底の縁を通過するように曲げられた管状の排油バルブ３０９が連結されている。ベースフレーム１１０上には、オーブン３００の底の直径と排油バルブ３０９の露出長さとを含む直径に対応する油落し穴１１８が形成されている。
【００３２】
図５、図６及び図８に示されるように、オーブン３００の伝動手段３１０は、オーブン３００の底の外面に固定リング３１２を取り付けるように、底の内側部分へ突き出した第１の突出部分３１１と、第１の突出部分３１１の内周部分から底の内側部分へさらに突き出した第２の突出部分３１５と、固定リング３１２の中心で伝動シャフト２１０へ軸方向に連結された角張った連結穴３１８とを含むように構成されている。
【００３３】
図６及び図８に示されるように、オーブン３００の内壁には、反転バー３２０が長手方向に設けられている。
【００３４】
オーブン３００の上端縁には、図６及び図８に示されるように、蓋３３０と、蓋３３０を支持するための蓋支持段３０３とが設けられ、蓋３３０上には、オーブン３００の上端縁を密封するためのシールパッキン３４０が設けられている。
【００３５】
重量均衡手段１３０は、図１に示されるような錘であってもよく、これは、ベース支持体１００の前面でコントローラ２００の重量と均衡するように支持されている。
【００３６】
本開示のコントローラ２００の一例として、図８に示されるようなスイッチ２０１の作動によりバッテリパワーが印加されると、バッテリの電力が内部モータに印加されて、これが回転され、内蔵減速器により回転シャフトが減速比に減速されて回転の力が伝動シャフト２１０へ伝達される。スイッチ２０１は、内部に取り付けられた（電気的または機械的な）タイマ（不図示）によって設定された時間に亘って、回転の力を伝動シャフト２１０へ伝達するように作動してもよい。これらのタイマの時間は、調理される食品のレシピに従って設定されてもよい。このような時間ベースのレシピについては、省略される。当然ながら、バッテリの例としては、単４電池があるが、この限りではない。一般的な試験の結果、単４電池は、約６時間の連続使用が可能であることが確認された。
【００３７】
本開示は、コントローラ２００に内蔵されている埋込み式の減速器を用いて、電源として単に電池１つを用いる場合でも減速比を上げることから、電流が低くとも、オーブンを最大６時間に亘って連続回転できるように出力が保持される。
【００３８】
オーブン３００の蓋３３０は、蓋支持段３０３によって支持されている。オーブン３００の開口縁上の少なくとも１箇所には、蓋３３０の周縁をこの状態で係止するロッキングバー３５４を有している取っ手３５０が設けられている。したがって、係止されると、調理中にロッキングバー３５４が解錠されて分離されない限り、係止状態が保たれる。よって、蓋３３０を開けることなく調理することが可能である。さらに、蓋３３０の縁上には、シールパッキン３４０が設けられていて、煮こぼれまたは油の流出を防止するように調理中の密封が保証されているので、オーブンが傾いても調理することが可能である。
【００３９】
上述のように機能する本開示を用いて調理する際には、オーブン３００を取り外して、調理する食材（例えば、豚の脇腹肉）をオーブン３００に入れる。蓋３３０を閉じてロッキングバー３５４で係止した後、取っ手３５０を掴み、オーブン３００の外面を回転案内手段１４０のフロントローラ１４７間に当てる。伝動手段３１０及び伝動シャフト２１０は、傾斜角度によって設定位置で自然に軸方向へ連結される。このような係合により、伝動シャフト２１０は、固定リング３１２の凹溝に沿って案内され、角張った連結穴３１８は、伝動が可能な状態となって係合される。
【００４０】
この状態において、コントローラ２００の調理レシピに従った調理時間をタイマで選択し、次いでスイッチ２０１をオンにしてスイッチを作動させることが可能であり（スイッチの状態に基づいて、スイッチを押すか回すかを選択することができる点は、理解できる）、この結果、埋込みモータが内蔵バッテリにより回転され、内蔵減速器（不図示）により回転力が回転される。
【００４１】
当然ながら、これは、ガスレンジ（不図示）が作動されることにより、ガス火がガス炎孔穴１１２を介してオーブン３００の外壁を加熱することを前提とする。
【００４２】
この場合、ベースフレーム１１０の炎孔穴１１２の底面部分には、複数の突起１１４が形成され、左右にずれることなく安定して調理できるように、ガスレンジの調理器支持体とずれ防止状態で連結されている。
【００４３】
調理の間、内壁へ長手方向に設けられた反転バー３２０によって、たとえば、豚の脇腹肉は、オーブンが回転する度にひっくり返されるので、一箇所だけが焼けるのではなく、豚の脇腹肉を均一に調理することができる。
【００４４】
豚の脇腹肉から排出された油は、重力によって、傾斜したオーブン３００の底近くに集められる。油は、底に近い側壁上に設けられる排油穴３０２と、排油バルブ３０９とを介して流れ出る。この場合、流出する油は回転し、排油バルブ３０９の下端は、その直径がオーブン３００の底の直径より大きい場所へと曲がっていて、油落し穴１１８は、油を排出可能な水平直径に対応して長く形成されていることから、油を落下場所に関係なく油捕集器１５０上に集めることができ、油は、水平直径より上に位置すると再びオーブン３００に入ることから、油がオーブンの底または側壁を汚す危険性もない。油の排出が防止されなければならない場合は（鍋料理またはスープレシピ）、図７に示されるように、遮断用のバルブキャップ３０９’が使用されてもよい。
【００４５】
このようにして調理し、タイマにより設定された時間が経過すると、スイッチ２０１は、自動的にオフにされ得る。自動回転ポットを備えているガスオーブン型調理器は、ガスレンジ炎孔の火力を受ける炎孔穴１１２を有しているベースフレーム１１０の後側でコントローラ２００を連結するコントローラ支持フレーム１２２と、コントローラ２００の重量とのバランスをとるようにベースフレーム１１０上に設けられた重量均衡手段１３０とを有しているベース支持体１００であって、コントローラ２００が、コントローラ支持フレーム１２２へ連結されているとともに、埋込み式の減速モータと、伝動シャフト２１０の端部分が上側へ傾斜されるようにコントローラ支持板１２０の前面を介して傾斜式に露出される伝動シャフト２１０とを有しているベース支持体１００と、炎孔穴１１２を介して調理用の火力を受けるために回転する前記傾斜した伝動シャフト２１０と外側部分で軸方向に連結された伝動手段３１０を有しているオーブン３００と、を含んでもよい。
【００４６】
図１及び図３に示されるように、ベース支持体１００上には、オーブン３００を回転させて伝動手段３１０との連結を案内するための回転案内手段１４０が設けられている。
【００４７】
回転案内手段１４０は、互いに離隔された少なくとも１組のフロントローラ１４７を含むように構成されている。これらのフロントローラ１４７は、オーブン３００の前側外面と接触することによって、オーブン３００をベース支持体１００の底正面から支持しているとともにオーブン３００の回転を案内する。各ローラ及びオーブン３００の外面は、点接触状態にあって、伝動手段との初期連結を案内する機能を果たす。
【００４８】
コントローラ支持フレーム１２２の一方の側壁には、固定用穴１２９が形成され、固定用穴１２９を貫通する固定ねじ１２９’を用いてコントローラ２００の取付け板２４０が固定されている。
【００４９】
ベース支持体１００のベースフレーム１１０の底の底面には、図４に示されるように、複数の突起１１４が分散して形成されてもよく、これらは、ガスレンジの調理器支持体上に支持されると同時に、ずれを防止するストッパ機能を果たすために突き出ている。
【００５０】
ベース支持体１００のベースフレーム１１０の側壁の高さは、図８及び図１２に示されるように、前側が後側より高くなるように設定されており、傾斜した伝動シャフト２１０へ軸方向に連結されるオーブン３００の傾斜角がコントローラ２００の傾斜角に一致するように設定されている。
【００５１】
図１及び図３に示されるように、ベースフレーム１１０の炎孔穴１１２とコントローラ支持板１２０との間には、炎孔穴からの熱を遮断する隔壁１１６が設けられている。排油穴３０２は、オーブン３００の底に近い側壁に形成されている。排油穴３０２を介して排出される油を集める油捕集器１５０は、隔壁１１６の後方でベースフレーム１１０上に設けられた底支持体１１７により支持されるように構成されている。
【００５２】
排油穴３０２には、オーブン３００の底の縁を通過するように曲げられた管状の排油バルブ３０９が連結されている。
【００５３】
図７を参照すると、排油バルブ３０９は、水平部分３０９−１と垂直部分３０９−１とを有していて水平部分３０９−１の遠位端が油を排出するために排油穴３０２上に設けられるように構成された逆Ｌ字形状に曲がった形を有する排油バルブを有するように形成されている。排出された油は、ベースフレーム１１０上に形成された油落し穴１１８を介して油捕集器１５０へ落下する。
【００５４】
排油バルブ３０９の垂直部分３０９−２には、オーブン３００の回転に伴って回転する排油バルブ３０９の垂直部分３０９−２の遠位端から流れ出る油を一時的に溜めるために、油受け４００が形成されている。
【００５５】
すなわち、オーブン３００の回転によって、排油バルブ３０９が下死点から上死点へと回転するにつれて流れ出す油は、一時的に溜められる。排油バルブが上死点から下死点へ回転すると、オイルは、落下し、油捕集器に溜まった油が集められる。
【００５６】
したがって、排油バルブから流れ出る油を円滑に溜めるためには、油受け４００は、図９に示されるように、垂直部分３０９−２の下部において、排油バルブ３０９が回転して上昇する際の回転方向とは反対側に位置していることが好ましい。
【００５７】
図１０に示されるように、このような油受け４００は、開放底面４０１を伴って形成される受け溝４０２を有してもよく、底面４０１は、下死点にあるときの排油バルブ３０９の垂直部分３０９−２の遠位端より高い位置に位置している。
【００５８】
図５、図６及び図１０に示されるように、オーブン３００の伝動手段３１０は、オーブン３００の底の外面に固定リング３１２を取り付けるように底の内側部分へ突き出している第１の突出部分３１１と、第１の突出部分３１１の内周部分から底の内側部分へさらに突き出している第２の突出部分３１５と、固定リング３１２の中心で伝動シャフト２１０へ軸方向に連結される角張った連結穴３１８とを含むように構成されている。
【００５９】
図６及び図８に示されるように、オーブン３００の内壁には、反転バー３２０が長手方向に設けられている。
【００６０】
オーブン３００の上端縁には、図６及び図８に示されるように、蓋３３０と、蓋３３０を支持するための蓋支持段３０３とが設けられ、蓋３３０上には、オーブン３００の上端縁を密封するためのシールパッキン３４０が設けられている。
【００６１】
重量均衡手段１３０は、図１に示すような錘であってもよく、これは、ベース支持体１００の前面でコントローラ２００の重量と均衡するように支持されている。
【００６２】
本開示のコントローラ２００の一例として、図８に示されるようなスイッチ２０１の作動によりバッテリパワーが印加されると、バッテリの電力が内部モータに印加されて、これが回転され、内蔵減速器により回転シャフトが減速比に減速されて回転の力が伝動シャフト２１０へ伝達される。スイッチ２０１は、内部に取り付けられた（電気的または機械的であることが可能であるが、極端状況における使用を可能にするには、機械的であることが好ましい）タイマ（不図示）によって設定される時間に亘って、回転の力を伝動シャフト２１０へ伝達するように作動されてもよい。これらのタイマの時間は、調理される食品のレシピに従って設定されてもよい。このような時間ベースのレシピについては、省略される。当然ながら、バッテリの例としては、単４電池があるが、この限りではない。一般的な試験の結果、単４電池は、約６時間の連続使用が可能であることが確認された。
【００６３】
本開示は、コントローラ２００に内蔵されている埋込み式の減速器を用いて、電源として単に電池１つを用いる場合でも減速比を上げることから、電流が低くとも、オーブンを最大６時間に亘って連続回転できるように出力が保持される。
【００６４】
オーブン３００の蓋３３０は、蓋支持段３０３によって支持されている。オーブン３００の開口縁上の少なくとも１箇所には、蓋３３０の周縁をこの状態で係止するロッキングバー３５４を有する取っ手３５０が設けられている。したがって、係止されると、調理中にロッキングバー３５４が解錠されて分離されない限り、係止状態が保たれる。よって、蓋３３０を開けることなく調理することが可能である。さらに、蓋３３０の縁上には、シールパッキン３４０が設けられていて、煮こぼれまたは油の流出を防止するように調理中の密封が保証されているので、オーブンが傾いても調理することが可能である。
【００６５】
上述のように機能する本開示を用いて調理する際には、オーブン３００を取り外して、調理する食材（例えば、豚の脇腹肉）をオーブン３００に入れる。蓋３３０を閉じてロッキングバー３５４で係止した後、取っ手３５０を掴み、オーブン３００の外面を回転案内手段１４０のフロントローラ１４７間に当てる。伝動手段３１０及び伝動シャフト２１０は、傾斜角度によって設定位置で自然に軸方向へ連結される。このような係合により、伝動シャフト２１０は、固定リング３１２の凹溝に沿って案内され、角張った連結穴３１８は、伝動が可能な状態となって係合される。
【００６６】
この状態において、コントローラ２００の調理レシピに従った調理時間をタイマで選択し、次いでスイッチ２０１をオンにしてスイッチを作動させることが可能であり（スイッチの状態に基づいて、スイッチを押すか回すかを選択することができる点は、理解できる）、この結果、埋込みモータが内蔵バッテリにより回転され、内蔵減速器（不図示）により回転力が回転される。
【００６７】
当然ながら、これは、ガスレンジ（不図示）が作動されることにより、ガス火がガス炎孔穴１１２を介してオーブン３００の外壁を加熱することを前提とする。
【００６８】
この場合、ベースフレーム１１０の炎孔穴１１２の底面部分には、複数の突起１１４が形成され、左右にずれることなく安定して調理できるように、ガスレンジの調理器支持体とずれ防止状態で連結される。
【００６９】
調理の間、内壁へ長手方向に設けられる反転バー３２０によって、たとえば、豚の脇腹肉は、オーブンが回転する度にひっくり返されるので、一箇所だけが焼けるのではなく、豚の脇腹肉を均一に調理することができる。
【００７０】
豚の脇腹肉から排出される油は、重力によって、傾斜したオーブン３００の底近くに集められる。油は、底に近い側壁上に設けられる排油穴３０２と、排油バルブ３０９とを介して流れ出る。油落し穴１１８は、排出される油がどこに落ちても油捕集器１５０上に集まるように長く形成され、排油バルブの上昇及び回転に伴って流れる残りの油は、油受け４００の受け溝４０２に一時的に溜められ、その後、オーブン３００の回転によって油受け４００が下降されて回転すると、受け溝４０２から油が落下して油捕集器１２０上に集められる（図９を参照）。
【００７１】
油は、水平直径より上に位置合していると再びオーブン３００に入ることから、油がオーブンの底または側壁を汚す危険性はない。油の排出が防止されなければならない場合は（鍋料理またはスープレシピ）、図７に示されるように、遮断用のバルブキャップ３０９’が使用されてもよい。
【００７２】
このようにして調理し、タイマにより設定された時間が経過すると、スイッチ２０１は、自動的に、または手動でオフにされて操作が停止されてもよい。次には、調理人がガスを切って火を止め、取っ手３５２を持ってオーブン３００を引っ張り、コントローラ２００とは反対側へ傾斜させる。次に、オーブン３００をその底面が底上になるように載置した後、ロッキングバー３５４を外側に押して蓋３３０の係止を解除すると、蓋３３０がオーブン３００の本体から離れる。その後、調理した内容物を皿に移して食べることができる。
【００７３】
食事の後、オーブン３００及び蓋３３０を洗い、油捕集器１５０も分離して洗い、乾燥させて再び調理に使用する。
【００７４】
図９〜図１２には、本開示の別の態様を示しているが、図１〜図５に対応するパーツは省略されている。
【００７５】
本開示の別の態様は、ガスレンジ炎孔の火力を受ける炎孔穴１１２を備えているベースフレーム１１０の後側でコントローラ２００を連結するコントローラ支持フレーム１２２と、コントローラ２００の重量とのバランスをとるようにベースフレーム１１０上に設けられた重量均衡手段１３０と、を有しているベース支持体１００であって、前記コントローラ２００が、コントローラ支持フレーム１２２へ連結された埋込み式の減速モータと、伝動シャフト２１０の端部分が上側へ傾斜されるように、コントローラ支持板１２０の前面を介して傾斜式に露出された伝動シャフト２１０とを有するように構成されているベース支持体１００と、炎孔穴１１２を介して調理用の火力を受けるために回転する前記傾斜した伝動シャフト２１０と外側部分で軸方向に連結された伝動手段３１０を有するように構成されたオーブン３００と、を含むように構成されている。
【００７６】
オーブン３００は、オーブン３０２の側壁に近い底に形成される排油穴３０２を更に含み、排油穴３０２には、オーブン３００の底の縁を通過するように曲げられた管状の排油バルブ３０９が連結されている。加えて、排油バルブ３００上には、油受け４００が更に設けられている。
【００７７】
図１０を参照すると、排油バルブ３０９は、水平部分３０９−１と垂直部分３０９−１とを有していて、水平部分３０９−１の遠位端が油を排出するために排油穴３０２上に設けられるように構成されているとともに、逆Ｌ字形状に曲がった形を有する排油バルブを有するように形成されている。排出された油は、ベースフレーム１１０上に形成される油落し穴１１８を介して油捕集器１５０へ落下する。
【００７８】
排油バルブ３０９の垂直部分３０９−２には、オーブン３００の回転に伴って回転する排油バルブ３０９の垂直部分３０９−２の遠位端から流れ出る油を一時的に溜めるために、油受け４００が形成されている。
【００７９】
すなわち、オーブン３００の回転によって、排油バルブ３０９が下死点から上死点へと回転するにつれて流れ出す油は、一時的に溜められる。排油バルブが上死点から下死点へ回転すると、オイルは落下し、油捕集器に溜まった油が集められる。
【００８０】
したがって、排油バルブから流れ出る油を円滑に溜めるためには、油受け４００は、図１１に示されるように、垂直部分３０９−２の下部において、排油バルブ３０９が回転して上昇する際の回転方向とは反対側に位置していることが好ましい。
【００８１】
図１０に示されるように、このような油受け４００は、開放底面４０１を伴って形成された受け溝４０２を有してもよく、底面４０１は、下死点にあるときの排油バルブ３０９の垂直部分３０９−２の遠位端より高い位置に位置している。
【００８２】
本開示のコントローラ２００の一例として、図１２に示されるようなスイッチ２０１の作動によりバッテリパワーが印加されると、バッテリの電力が内部モータに印加されて、これが回転され、内蔵減速器により回転シャフトが減速比に減速されて回転の力が伝動シャフト２１０へ伝達される。スイッチ２０１は、内部に取り付けられた（電気的または機械的であることが可能な）タイマ（不図示）によって設定される時間に亘って、回転の力を伝動シャフト２１０へ伝達するように作動されてもよい。
【００８３】
上述のように機能する本開示を用いて調理する際には、オーブン３００を取り外して、調理する食材（例えば、豚の脇腹肉）をオーブン３００に入れる。蓋３３０を閉じてロッキングバー３５４で係止した後、取っ手３５０を掴み、オーブン３００の外面を回転案内手段１４０のフロントローラ１４７間に当てる。伝動手段３１０及び伝動シャフト２１０は、傾斜角度によって設定位置で自然に軸方向へ連結される。このような係合により、伝動シャフト２１０は、固定リング３１２の凹溝に沿って案内され、角張った連結穴３１８は、伝動が可能な状態となって係合される。
【００８４】
この状態において、コントローラ２００の調理レシピに従った調理時間をタイマで選択し、次いでスイッチ２０１をオンにしてスイッチを作動させることが可能であり（スイッチの状態に基づいて、スイッチを押すか回すかを選択することができる点は、理解できる）、この結果、埋込みモータが内蔵バッテリにより回転され、内蔵減速器（不図示）により回転力が回転される。
【００８５】
当然ながら、これは、ガスレンジ（不図示）が作動されることにより、ガス火がガス炎孔穴１１２を介してオーブン３００の外壁を加熱することを前提とする。
【００８６】
調理の間、内壁へ長手方向に設けられる反転バー３２０によって、たとえば、豚の脇腹肉は、オーブンが回転する度にひっくり返されるので、一箇所だけが焼けるのではなく、豚の脇腹肉を均一に調理することができる。
【００８７】
豚の脇腹肉から排出される油は、重力によって、傾斜したオーブン３００の底近くに集められる。油は、底に近い側壁上に設けられる排油穴３０２と、排油バルブ３０９とを介して流れ出る。油落し穴１１８は、排出される油がどこに落ちても油捕集器１５０上に集まるように長く形成され、排油バルブの上昇及び回転に伴って流れる残りの油は、油受け４００の受け溝４０２に一時的に溜められ、その後、オーブン３００の回転によって油受け４００が下降されて回転すると、受け溝４０２から油が落下して油捕集器１２０上に集められる（図１１参照）。
【００８８】
油は、水平直径より上に位置すると再びオーブン３００に入ることから、油がオーブンの底または側壁を汚す危険性はない。油の排出が防止されなければならない場合は（鍋料理またはスープレシピ）、図９に示されるように、遮断用のバルブキャップ３０９’が使用されてもよい。
【００８９】
このようにして調理し、タイマにより設定された時間が経過すると、スイッチ２０１は、自動的に又は手動でオフにされて操作が停止されてもよい。その後、調理人がガスを切って火を止め、取っ手３５２を持ってオーブン３００を引っ張り、コントローラ２００とは反対側へ傾斜させる。次に、オーブン３００をその底面が底上になるように載置した後、ロッキングバー３５４を外側に押して蓋３３０の係止を解除すると、蓋３３０がオーブン３００の本体から離れる。次には、調理した内容物を皿に移して食べることができる。
【００９０】
食事の後、オーブン３００及び蓋３３０を洗い、油捕集器１５０も分離して洗い、乾燥させて再び調理に使用する。
【００９１】
以上、本開示の一態様による自動回転ポットを備えているガスオーブン型調理器の例示的実施形態について説明したが、本開示の範囲を逸脱することなく様々な変更を行うことができることは明らかである。
【００９２】
したがって、本発明の範囲は、説明された実施形態に限定されるべきではなく、添付の特許請求の範囲及びその等価物の範囲によって決定されるべきである。
【００９３】
すなわち、これまでに述べた実施形態は例示的であって、あらゆる点で限定的でないこと、及び、本開示の範囲は、これまでに述べた説明ではなく添付の特許請求の範囲によって示され、よって、その等価物から導出されるすべての変化または変更は、本発明の範囲に含まれるものとして解釈されるべきであることは、理解されるべきである。
【符号の説明】
【００９４】
１００  ベース支持体
１１０  ベースフレーム
１１２  炎孔穴
１１４  突起
１１６  隔壁
１１７  底支持体
１１８  油落し穴
１２２  コントローラ支持フレーム
１２９  固定用穴
１２９  固定ねじ
１３０  重量均衡手段
１３２  錘
１４０  回転案内手段
１４７  フロントローラ
１４９  ローラ溝
１５０  油捕集器
２００  コントローラ
２０１  スイッチ
２１０  伝動シャフト
２４０  取付け板
２４２  傾斜面
３００  オーブン
３０２  排油穴
３０３  蓋支持段
３０９  排油バルブ
３０９’  バルブキャップ
３０９−１  水平部分
３０９−２  垂直部分
３１０  伝動手段
３１１  第１の突出部分
３１２  固定リング
３１５  第２の突出部分
３１８  角張った連結穴
３２０  反転バー
３３０  蓋
３４０  シールパッキン
３４２  クリップ部分
３４４  シールスカート
３４６  支持段シール突起
３５０  取っ手
３５４  ロッキングバー
４００  油受け
４０１  底面
４０２  受け溝
【図１】
2019181164.tif 000003
【図２】
2019181164.tif 000004
【図３】
2019181164.tif 000005
【図４】
2019181164.tif 000006
【図５】
2019181164.tif 000007
【図６】
2019181164.tif 000008
【図７】
2019181164.tif 000009
【図８】
2019181164.tif 000010
【図９】
2019181164.tif 000011
【図１０】
2019181164.tif 000012
【図１１】
2019181164.tif 000013
【図１２】
2019181164.tif 000014